(57)【要約】【課題】パネルの強度及び取付強度に優れた外装パネル及びその取付構造を提供する。【解決手段】矩形枠状で各辺を枠体３で構成したパネル枠４を備える。パネル枠４の屋外側の面に設けられる表面板５と、パネル枠４の屋内側の面に設けられる裏面板６のうち、少なくとも表面板５を備える。表面板５又は裏面板６を相実形成用面板とする。外装パネルの対向する二辺のうち、一方の辺には枠体と該枠体よりも外側方に突出する相実形成用面板で構成される第一相実部１２が設けられる。他方の辺には相実形成用面板と該相実形成用面板よりも外側方に突出する枠体３で構成され第一相実部１２に相じゃくり嵌め可能な第二相実部１３が設けられる。【選択図】        図１
2010174437.tif 000002
【特許請求の範囲】
【請求項１】
矩形枠状で各辺を枠体で構成したパネル枠を備えると共に、パネル枠の屋外側の面に設けられる表面板と、パネル枠の屋内側の面に設けられる裏面板のうち、少なくとも表面板を備えた外装パネルであって、
前記表面板及び裏面板を備える場合は表面板又は裏面板を相実形成用面板とし、表面板のみを備える場合は表面板を相実形成用面板とし、外装パネルの対向する二辺のうち、一方の辺には枠体と該枠体よりも外側方に突出する相実形成用面板で構成される第一相実部が設けられると共に、他方の辺には相実形成用面板と該相実形成用面板よりも外側方に突出する枠体で構成され前記第一相実部に相じゃくり嵌め可能な第二相実部が設けられることを特徴とする外装パネル。
【請求項２】
矩形枠状で各辺を枠体で構成したパネル枠と、パネル枠の屋外側の面に設けられる表面板と、パネル枠の屋内側の面に設けられる裏面板を備えた外装パネルであって、
外装パネルの対向する二辺のうち、一方の辺には、枠体と該枠体よりも外側方に突出する表面板で構成される屋外側第一相実部が設けられると共に、裏面板と該裏面板よりも外側方に突出する枠体とで構成される屋内側第二相実部が設けられ、
他方の辺には、表面板と該表面板よりも外側方に突出する枠体で構成され前記屋外側第一相実部に相じゃくり嵌め可能な屋外側第二相実部が設けられると共に、枠体と該枠体よりも外側方に突出する裏面板で構成され前記屋内側第二相実部に相じゃくり嵌め可能な屋内側第一相実部が設けられることを特徴とする外装パネル。
【請求項３】
下地に並べて取り付けられる外装パネルの取付構造において、外装パネルは、矩形枠状で各辺を枠体で構成したパネル枠を備えると共に、パネル枠の屋外側の面に設けられる表面板と、パネル枠の屋内側の面に設けられる裏面板のうち、少なくとも表面板を備え、前記表面板及び裏面板を備える場合は表面板又は裏面板を相実形成用面板とし、表面板のみを備える場合は表面板を相実形成用面板とし、隣り合う外装パネルの互いに対向する辺のうち、一方の外装パネルの辺には枠体と該枠体よりも外側方に突出する相実形成用面板で構成される第一相実部が設けられ、他方の外装パネルの辺には相実形成用面板と該相実形成用面板よりも外側方に突出する枠体で構成される第二相実部が設けられ、
前記第一相実部が第二相実部に相じゃくり嵌めされることを特徴とする外装パネルの取付構造。
【請求項４】
下地に並べて取り付けられる外装パネルの取付構造において、外装パネルは、矩形枠状で各辺を枠体で構成したパネル枠と、パネル枠の屋外側の面に設けられる表面板と、パネル枠の屋内側の面に設けられる裏面板を備え、
隣り合う外装パネルの互いに対向する辺のうち、
一方の外装パネルの辺には、枠体と該枠体よりも外側方に突出する表面板で構成される屋外側第一相実部が設けられると共に、裏面板と該裏面板よりも外側方に突出する枠体とで構成される屋内側第二相実部が設けられ、
他方の外装パネルの辺には、表面板と該表面板よりも外側方に突出する枠体で構成される屋外側第二相実部が設けられると共に、枠体と該枠体よりも外側方に突出する裏面板で構成される屋内側第一相実部が設けられ、
前記屋外側第一相実部が屋外側第二相実部に相じゃくり嵌めされると共に屋内側第一相実部が屋内側第二相実部に相じゃくり嵌めされることを特徴とする外装パネルの取付構造。
【発明の詳細な説明】
【技術分野】
【０００１】
本発明は外装パネル及びその取付構造に関する。
【背景技術】
【０００２】
従来、外壁や屋根を構成する外装パネルには矩形状のパネル枠によって補強がなされたものがある。例えば特許文献１に示す外壁を構成する外装パネルは、金属製で矩形枠状のパネル枠と、パネル枠の屋外側の面に設けられた表面板で構成され、パネル枠を下地となる柱に取り付けられることで、外装パネルは固定されている。
【先行技術文献】
【特許文献】
【０００３】
【特許文献１】特開２００７−２７７９６９号公報
【発明の概要】
【発明が解決しようとする課題】
【０００４】
しかし、上記特許文献１にあっては、隣り合う外装パネル同士が連結されておらず、取付強度が低いという問題がある。
【０００５】
本発明は上記従来の問題点に鑑みてなされたものであって、パネルの強度及び取付強度に優れた外装パネル及びその取付構造を提供することを課題とする。
【課題を解決するための手段】
【０００６】
上記課題を解決するために、本発明の請求項１の外装パネルは、矩形枠状で各辺を枠体３で構成したパネル枠４を備えると共に、パネル枠４の屋外側の面に設けられる表面板５と、パネル枠４の屋内側の面に設けられる裏面板６のうち、少なくとも表面板５を備えた外装パネルであって、前記表面板５及び裏面板６を備える場合は表面板５又は裏面板６を相実形成用面板とし、表面板５のみを備える場合は表面板５を相実形成用面板とし、外装パネル１の対向する二辺のうち、一方の辺には枠体３と該枠体３よりも外側方に突出する相実形成用面板で構成される第一相実部１２が設けられると共に、他方の辺には相実形成用面板と該相実形成用面板よりも外側方に突出する枠体３で構成され前記第一相実部１２に相じゃくり嵌め可能な第二相実部１３が設けられることを特徴とする。
【０００７】
また、本発明の請求項２の外装パネルは、矩形枠状で各辺を枠体３で構成したパネル枠４と、パネル枠４の屋外側の面に設けられる表面板５と、パネル枠４の屋内側の面に設けられる裏面板６を備えた外装パネルであって、外装パネル１の対向する二辺のうち、一方の辺には、枠体３と該枠体３よりも外側方に突出する表面板５で構成される屋外側第一相実部１２ａが設けられると共に、裏面板６と該裏面板６よりも外側方に突出する枠体３とで構成される屋内側第二相実部１３ｂが設けられ、他方の辺には、表面板５と該表面板５よりも外側方に突出する枠体３で構成され前記屋外側第一相実部１２ａに相じゃくり嵌め可能な屋外側第二相実部１３ａが設けられると共に、枠体３と該枠体３よりも外側方に突出する裏面板６で構成され前記屋内側第二相実部１３ｂに相じゃくり嵌め可能な屋内側第一相実部１２ｂが設けられることを特徴とする。
【０００８】
また、本発明の請求項３の外装パネルの取付構造は、下地２に並べて取り付けられる外装パネルの取付構造において、外装パネル１は、矩形枠状で各辺を枠体３で構成したパネル枠４を備えると共に、パネル枠４の屋外側の面に設けられる表面板５と、パネル枠４の屋内側の面に設けられる裏面板６のうち、少なくとも表面板５を備え、前記表面板５及び裏面板６を備える場合は表面板５又は裏面板６を相実形成用面板とし、表面板５のみを備える場合は表面板５を相実形成用面板とし、隣り合う外装パネル１の互いに対向する辺のうち、一方の外装パネル１の辺には枠体３と該枠体３よりも外側方に突出する相実形成用面板で構成される第一相実部１２が設けられ、他方の外装パネル１の辺には相実形成用面板と該相実形成用面板よりも外側方に突出する枠体３で構成される第二相実部１３が設けられ、前記第一相実部１２が第二相実部１３に相じゃくり嵌めされることを特徴とする。
【０００９】
また、本発明の請求項４の外装パネルの取付構造は、下地２に並べて取り付けられる外装パネルの取付構造において、外装パネル１は、矩形枠状で各辺を枠体３で構成したパネル枠４と、パネル枠４の屋外側の面に設けられる表面板５と、パネル枠４の屋内側の面に設けられる裏面板６を備え、隣り合う外装パネル１の互いに対向する辺のうち、一方の外装パネル１の辺には、枠体３と該枠体３よりも外側方に突出する表面板５で構成される屋外側第一相実部１２ａが設けられると共に、裏面板６と該裏面板６よりも外側方に突出する枠体３とで構成される屋内側第二相実部１３ｂが設けられ、他方の外装パネル１の辺には、表面板５と該表面板５よりも外側方に突出する枠体３で構成される屋外側第二相実部１３ａが設けられると共に、枠体３と該枠体３よりも外側方に突出する裏面板６で構成される屋内側第一相実部１２ｂが設けられ、前記屋外側第一相実部１２ａが屋外側第二相実部１３ａに相じゃくり嵌めされると共に屋内側第一相実部１２ｂが屋内側第二相実部１３ｂに相じゃくり嵌めされることを特徴とする。
【発明の効果】
【００１０】
本発明では、矩形枠状のパネル枠を備えることで、強度の高い外装パネルとすることができる。しかも、隣り合う外装パネルの対向する辺に設けられた第一相実部を第二相実部に相じゃくり嵌めすることで、外装パネルを強固に設置することができる。また、本実結合されるものと比べて外装パネルを他の外装パネルに容易に嵌めることができる。さらに、第一相実部及び第二相実部は、いずれも表面板や裏面板を枠体の外面に対して外側方又は内側方にずれるように設けることによって容易に形成することができる。
【００１１】
また、請求項２及び請求項４に係る発明では、屋外側と屋内側の２箇所において相じゃくり嵌めすることができ、外装パネルの取付強度を一層増すことができる。
【図面の簡単な説明】
【００１２】
【図１】本発明の実施形態の一例の外装パネルの取付構造を示す側断面図である。
【図２】同上の外装パネルの斜視図である。
【図３】同上の外装パネルの上端部の側断面図である。
【図４】同上の外装パネルの下端部の側断面図である。
【発明を実施するための形態】
【００１３】
以下、本発明の実施形態の一例を添付図面に基づいて説明する。
【００１４】
本例の外装パネル１は、防火性、耐火性、及び断熱性を有する建物外壁として利用されるものであって、図１に示すように角柱状鋼管からなる胴縁２ａで構成された下地２に取り付けられる。なお、外装パネル１は梁等からなる横架材や、柱等、その他の下地２に取り付けられるものであってもよい。
【００１５】
図２乃至図４に示す外装パネル１は、正面視略矩形状のパネル体１４で主体が構成されている。
【００１６】
パネル体１４は、金属製で縦長矩形状のパネル枠４と、パネル枠４の内側に設けられる断熱材７と、パネル枠４の屋外側の面に設けられる表面板５と、パネル枠４の屋内側の面に設けられる裏面板６とで構成される。
【００１７】
パネル枠４の各辺は長尺な角柱状の鋼管からなる枠体３で構成されている。このような枠組みされたパネル枠４により外装パネル１の強度を高めることができる。
【００１８】
表面板５は木毛セメント板８の屋内側の面にロックウール板９を貼り合わせた積層板からなり、耐火性、断熱性、及び吸音性を有している。表面板５はパネル枠４の開口を前側から塞ぐ。外装パネル１の屋外側の面は木毛セメント板８で構成されているため、塗装作業を省略することができる。
【００１９】
裏面板６は亜鉛メッキ鋼板からなる下地薄板１１の屋内側の面にパーティクルボード１０を設けてなり、パネル枠４の開口を後側から塞ぐ。
【００２０】
断熱材７はウレタンからなり、表面板５と裏面板６で挟み込まれてパネル枠４の内側に設けられる。なお、パネル枠４は対向する枠体３の間に枠体３と同様の材料で構成される長尺な補強材を架設する等して補強してもよい。
【００２１】
略矩形状のパネル体１４の各辺、すなわち、外装パネル１の各辺には、第一相実部１２及び第二相実部１３が設けられる。
【００２２】
パネル体１４の下縁及び一方の側縁を構成する辺には、前記第一相実部１２として屋外側第一相実部１２ａが設けられると共に第二相実部１３として屋内側第二相実部１３ｂが設けられる。パネル体１４の上縁及び他方の側縁を構成する辺には、前記第一相実部１２として前記屋内側第二相実部１３ｂに相じゃくり嵌め可能な屋内側第一相実部１２ｂが設けられると共に、前記第二相実部１３として屋外側第一相実部１２ａに相じゃくり嵌め可能な屋外側第二相実部１３ａが設けられる。
【００２３】
これら相実部１２ａ、１２ｂ、１３ａ、１３ｂはいずれも外装パネル１の一辺に亘って設けられる。
【００２４】
屋外側第一相実部１２ａは表面板５の縁部を枠体３の外面よりも外側方に突出することで設けられ、枠体３と該枠体３よりも外側方に突出する表面板５で構成される。
【００２５】
屋内側第二相実部１３ｂは裏面板６の縁部を枠体３の外面よりも内側方に控えた位置に配置することで設けられ、裏面板６と該裏面板６よりも外側方に突出する枠体３で構成される。つまり、パネル枠４の下横枠及び一方の縦枠を構成する枠体３は、屋外側第一相実部１２ａの一部及び屋内側第二相実部１３ｂの一部として兼用される。
【００２６】
屋外側第二相実部１３ａは表面板５の縁部を枠体３の外面よりも内側方に控えた位置に配置することで設けられ、表面板５と該表面板５よりも外側方に突出する枠体３で構成される。
【００２７】
屋内側第一相実部１２ｂは裏面板６の縁部を枠体３の外面よりも外側方に突出することで設けられ、枠体３と該枠体３よりも外側方に突出する裏面板６で構成される。つまり、パネル枠４の上横枠及び他方の縦枠を構成する枠体３は、屋外側第一相実部１２ａの一部及び屋内側第二相実部１３ｂの一部として兼用される。また、本例では、表面板５と裏面板６の夫々を相実形成用面板としている。
【００２８】
前記相実部１２ａ、１２ｂ、１３ａ、１３ｂが設けられたパネル体１４の各辺には、表面板５、枠体３、及び裏面板６が嵌め込まれて、パネル体１４を構成する表面板５、枠体３、及び裏面板６を全体としてパネル状に保持する長尺な縁材１５が設けられる。
【００２９】
各縁材１５は鋼板を折曲加工してなり、パネル体１４の前記各相実部１２ａ、１２ｂ、１３ａ、１３ｂが形成された階段状の端面に沿うよう階段状に屈曲された外面部１６と、外面部１６の屋外側の端縁から内側方に突出した屋外側縁部１７と、外面部１６の屋内側の端縁から内側方に突出した屋内側縁部１８とで構成されている。
【００３０】
各縁材１５は、外面部１６の内面に、表面板５の端面、枠体３の外面、裏面板６の端面を対向させると共に、屋外側縁部１７を表面板５の縁部の屋外側の面に沿わせ、且つ、屋内側縁部１８を裏面板６の縁部の屋内側の面に沿わせ、屋外側縁部１７及び屋内側縁部１８の間にパネル体１４を挟みこんだ状態でパネル体１４の端部に被嵌される。つまり、本例の第一相実部１２は縁材１５を介して第二相実部１３に嵌められる。
【００３１】
パネル体１４の複数箇所には、ボルト１９が屋外側から表面板５、断熱材７、裏面板６に順に挿通される。図示例ではパネル体１４の上端部及び下端部の夫々の左右方向の３箇所にボルト１９を挿通している。各ボルト１９の裏面板６から屋内側に突出した端部にはナット２０が螺合される。各ボルト１９の頭部とナット２０にて、表面板５がワッシャー２１を介して屋外側に押圧されると共に裏面板６がワッシャー２１を介して屋内側に押圧され、これら表面板５及び裏面板６でパネル枠４が挟持される。そして、前記パネル体１４、縁材１５、及びボルト１９、ナット２０、ワッシャー２１により外装パネル１が構成される。
【００３２】
上記外装パネル１は胴縁２ａに多数並設される。
【００３３】
外装パネル１を建物に設置するには、図１に示すように、外装パネル１の屋内側の面に複数の取付具２２を取り付け、これら取付具２２を胴縁２ａに取り付ける。
【００３４】
各取付具２２は断面Ｌ字状のピース材からなり、一方の片がパネル側に固着されるパネル側固着部２３を構成し、他方の片が下地２に固着される下地側固着部２４を構成する。
【００３５】
各取付具２２は任意のボルト１９及びナット２０を用いて外装パネル１に取り付けられる。
【００３６】
取付具２２を外装パネル１に取り付けるには、前記ナット２０をボルト１９から外した状態で、パネル側固着部２３を裏面板６の屋内側の面に沿わせると共に、該パネル側固着部２３に裏面板６から屋内側に突出したボルト１９の端部を挿通させ、該ボルト１９のパネル側固着部２３よりもさらに屋外側に突出した部分にナット２０を螺合する。これによって、ナット２０でワッシャー２１を介してパネル側固着部２３が屋外側に押圧され、パネル側固着部２３が裏面板６とナット２０により挟持固定される。図示例では、パネル体１４の上端部に取付具２２が取り付けられている。
【００３７】
外装パネル１を建物に設置するには、前記外装パネル１に取り付けられた各取付具２２の下地側固着部２４を胴縁２ａの下面部に沿わせ、該胴縁２ａをボルト２５及びナット２６により胴縁２ａに固着する。この場合、外装パネル１の取付具２２は屋内側から下地２を構成する胴縁２ａに容易に取り付けることができ、足場を設ける必要がない。
【００３８】
また、上記外装パネル１を設置するにあたって、先に下地２に取り付けた外装パネル１の隣に外装パネル１を設置する場合には、両外装パネル１の第一相実部１２と第二相実部１３を相じゃくり嵌めする。
【００３９】
例えば先に設置された外装パネル１の上方に外装パネル１を設置する場合には、両外装パネル１の端面同士を防水性及び防火性を有するシール材２７を介して突き合わせ、設置する外装パネル１の屋外側第一相実部１２ａ及び屋内側第二相実部１３ｂを先に設置された外装パネル１の屋外側第二相実部１３ａ及び屋内側第二相実部１３ｂの夫々に相じゃくり嵌めし、この後、取付具２２を下地２に取り付ける。なお、図示例ではシール材２７を両表面板５の間及び両裏面板６の間に設けられているが、これに加えて対向する両枠体３の間に設けたり、両外装パネル１の間の厚み方向の全長に亘って設けてもよい。
【００４０】
このようにして各外装パネル１は順に下地２に並べて設けられていく。なお、壁の上端部や下端部、側端部に位置する外装パネル１にあっては、外装パネル１に対向しない辺が存在するので、この辺の相実部１２ａ、１２ｂ、１３ａ、１３ｂが省略できることはいうまでもない。
【００４１】
上記のように外装パネル１を設置した場合、隣り合う外装パネル１の対向する辺に設けられた第一相実部１２を第二相実部１３に相じゃくり嵌めすることができるので、各外装パネル１の取付強度が増す。特に外装パネル１の各辺では、屋外側第一相実部１２ａと屋外側第二相実部１３ａの嵌合がなされると共に屋内側第二相実部１３ｂと屋内側第一相実部１２ｂの嵌合がなされ、つまり、屋外側と屋内側の２箇所において相じゃくり嵌めがなされるので、各外装パネル１の取付強度を一層増すことができる。
【００４２】
また、相実部１２ａ、１３ｂ、１３ａ、１２ｂは、いずれも表面板５や裏面板６を縁部が枠体３の外面に対して外側方又は内側方にずれるように設けることによって容易に形成することができる。
【００４３】
さらに隣り合う外装パネル１は相じゃくり嵌めされるので、本実嵌めされるものと比べて外装パネル１を他の外装パネル１に容易に嵌めることができる。加えて、この相じゃくり嵌めは本実嵌めのように侵入した雨水が溜まる凹所が形成されないといった利点もある。また、図１のように、外装パネル１の上縁において、屋外側から順に配置された表面板５、枠体３、裏面板６を屋内側に行く程段階的に上方に突出させると、雨水の浸入をより確実に防止することができる。
【００４４】
なお、図１では外装パネル１の下端部は胴縁２ａには固定されていないが、外装パネル１の上端部と同様に取付具２２を介して胴縁２ａに固定してもよいものとする。
【００４５】
また、本例では表面板５及び裏面板６の両方を相実形成用面板としたが、表面板５のみを相実形成用面板として外装パネル１の表面側にのみ第一相実部１２と第二相実部１３を形成してもよいし、裏面板６のみを相実形成用面板として外装パネル１の裏面側にのみ第一相実部１２と第二相実部１３を形成してもよい。また、裏面板６を省略して表面板５を相実形成用面板としてもよい。
【００４６】
また、本例の外装パネル１は外壁を構成するものであるが、屋根面を構成するものであってもよく、この場合は、例えば外装パネル１を屋根梁や母屋に同様の取付具２２を用いて取り付ければよい。
【符号の説明】
【００４７】
１  外装パネル
３  枠体
４  パネル枠
５  表面板
６  裏面板
１２  第一相実部
１２ａ  屋外側第一相実部
１２ｂ  屋内側第一相実部
１３  第二相実部
１３ａ  屋外側第二相実部
１３ｂ  屋内側第二相実部
【図１】
2010174437.tif 000003
【図２】
2010174437.tif 000004
【図３】
2010174437.tif 000005
【図４】
2010174437.tif 000006